(57)【要約】      （修正有）【課題】蝋燭からの飛び火を原因とする火災を防止し得る蝋燭カバーを提供する。【解決手段】難燃性材料から形成され、屋内において蝋燭立２に立てられた蝋燭３を、蝋燭立ごと覆うカバーであって、筒状の本体４と、本体の上部開口を塞ぐ天板５とを備え、本体および天板には、蝋燭の芯７を通過させない大きさの通気孔８が形成され、蝋燭を蝋燭立ごと覆った状態で、本体の内面が蝋燭立に略接触するか、７ｍｍの間の距離で離間するよう形成され、蝋燭を蝋燭立ごと覆った状態で、天板の高さが用いる蝋燭の長さの２〜３倍に設定されている。【選択図】図１
2015216997.tif 000002
【特許請求の範囲】
【請求項１】
難燃性材料から形成され、屋内において蝋燭立に立てられた蝋燭を、蝋燭立ごと覆うカバーであって、
筒状の本体と、本体の上部開口を塞ぐ天板とを備え、
本体および天板には、蝋燭の芯を通過させない大きさの通気孔が形成され、
蝋燭を蝋燭立ごと覆った状態で、本体の内面が蝋燭立に略接触するか、７ｍｍの間の距離で離間するよう形成され、
蝋燭を蝋燭立ごと覆った状態で、天板の高さが用いる蝋燭の長さの２〜３倍に設定されたことを特徴とする蝋燭カバー。
【発明の詳細な説明】
【技術分野】
【０００１】
本発明は、蝋燭を覆う蝋燭カバーに関する。
【背景技術】
【０００２】
特に比較すべき従来技術は発見できないが、例えば、下記特許文献１に記載の嵩上げ蝋燭の技術に、墓前用の蝋燭および蝋燭立を覆うようにしたカバーが記載されている（図３、図６、図７参照）。この特許文献１には、単に、墓前用の蝋燭および蝋燭立を覆うカバーという記載があるのみで、このカバーは、墓前において蝋燭が風を受け、火が消えてしまうのを防止するものであると考えられる。
【０００３】
ところで近年、蝋燭を原因とした火災が頻発している現状がある。これについて、平成２５年１２月１４日付の読売新聞に、大阪府寝屋川市消防組合消防本部が、屋内で行った実験が紹介されている。この実験は、蝋燭立の受皿部に数滴の水を入れた状態で蝋燭を燃焼させたものである。そうしたところ、蝋燭が燃え尽きる直前に、火が点いたままの芯が蝋燭立から落下したり、飛び上がったりする場合があることが確認された。これは、受皿に残った水が、蝋燭の火の熱で沸騰し、受皿にたまった蝋を破裂させるのではないかとの見解がなされており、火が点いたままの芯が、２０ｃｍ以上離れた場所まで飛び火した事実が紹介されている。
【０００４】
ここで、蝋燭立の受皿部に数滴の水を入れた状態とは、例えば、蝋燭立を洗った場合を想定している。すなわち、このような原因による火災を防ぐためには、蝋燭立は、洗った後には水分を拭き取ってから使用することが必要である。
【先行技術文献】
【特許文献】
【０００５】
【特許文献１】特開平１１−１５８４８８号公報
【発明の概要】
【発明が解決しようとする課題】
【０００６】
ところで、蝋燭立の受皿は、溶融した蝋や燃焼煤などにより汚れる。このため、蝋燭立は一般家庭等において、定期的、あるいは不定期に洗われる。しかしながら、洗った後に水分が拭き取られない場合がある。水分を拭き取るのは面倒であるし、拭き取ったとしても拭き取りきれず、あるいは水分を残したままのほうが火災を防ぎ易いのではないかといった人間の心理が働いているのではないかと考えられる。何れにしても、蝋燭立を洗った後に水分が拭き取られないという現状は、蝋燭の芯に点いた火が飛び火し易い条件を作ることになり、これが火種となって、今後の火災の一因となり得る。
【０００７】
そこで本発明は、上記課題に鑑み、蝋燭からの飛び火を原因とする火災を防止し得る蝋燭カバーの提供を目的とする。
【課題を解決するための手段】
【０００８】
本発明は、難燃性材料から形成され、屋内において蝋燭立に立てられた蝋燭を、蝋燭立ごと覆うカバーであって、筒状の本体と、本体の上部開口を塞ぐ天板とを備え、本体および天板には、蝋燭の芯を通過させない大きさの通気孔が形成され、蝋燭を蝋燭立ごと覆った状態で、本体の内面が蝋燭立に略接触するか、７ｍｍの間の距離で離間するよう形成され、蝋燭を蝋燭立ごと覆った状態で、天板の高さが用いる蝋燭の長さの２倍〜３倍に設定されたことを特徴としている。
【０００９】
本発明の蝋燭カバーは、特に、火の点いた蝋燭を覆うように用いられ、本体の内面が蝋燭立に略接触するか、７ｍｍの間の距離で離間するよう形成されていることから、蝋燭および蝋燭カバーに容易に被せられ、通気孔は蝋燭の芯を通過させない大きさであるから、仮に火の点いた蝋燭の芯が飛んだとしても、蝋燭カバーの外部には飛び出ず、したがって、屋内で、安心して且つ安全に蝋燭を灯すことができ、天板の高さが用いる蝋燭の長さの２倍〜３倍に設定されていることで、天板が過熱されることがなく、使用に際しても安全である。
【発明の効果】
【００１０】
本発明の蝋燭カバーによれば、蝋燭および蝋燭カバーに容易に被せられ、仮に火の点いた蝋燭の芯が飛んだとしても、蝋燭カバーの外部には飛び出さないことから火災を防止でき、したがって、屋内で、安心して且つ安全に蝋燭を灯すことができ、天板が過熱されることがなく、安全に使用できる。
【図面の簡単な説明】
【００１１】
【図１】本発明の一実施形態に係る蝋燭カバーの使用状態を示す斜視図である。
【図２】同じく蝋燭カバーの使用状態を示す平面断面図である。
【発明を実施するための形態】
【００１２】
以下、本発明の一実施形態に係る蝋燭カバーを、図１、図２を参照しつつ説明する。これらの図に示すように、この蝋燭カバー１は、全体が難燃性材料（不燃性材料）から形成され、屋内において蝋燭立２に立てられた蝋燭３を、蝋燭立２ごと覆うカバーである。
【００１３】
難燃性材料としては、金属材料全般、石材およびその加工品全般、セメント材料およびその加工品全般、耐火性合成樹脂材料およびその加工品が挙げられる。本実施形態では、アルミニウム板を加工したパンチングメタルを用いて形成されている。
【００１４】
蝋燭カバー１は、円筒状の本体４と、本体４の上部開口を塞ぐ天板５とを一体的に備えている。本体４の下部は、開口６とされている。本体４の長手方向は同一径に形成されている。天板５は円板状に形成され、上部開口を隙間なく覆っている。本体４および天板５には、蝋燭３の芯７の通過を妨げる大きさの通気孔８が多数形成されている。この通気孔８はパンチングメタルにパンチングにより規則的に形成された孔である。
【００１５】
開口６の内径（本体４の内径に相当する）は、蝋燭立２の最大径よりも大きく形成されている。本体４は、蝋燭３を蝋燭立２ごと覆った状態、すなわち蝋燭３および蝋燭立２に被せた状態で、内周面９が蝋燭立２の最大径部分である底端１０に対し、最大７ｍｍの間の距離で離間するよう形成されている。蝋燭カバー１で蝋燭３を蝋燭立２ごと覆った状態において、天板５の高さ位置は、用いる蝋燭３の長さＬ（未使用状態の長さ）の略２倍に設定されている。なお、蝋燭３は、蝋燭立２の上部に配置した受皿部１１に形成された心棒１２に差し込まれるようにして、受皿部１１に立てられる。
【００１６】
上記構成の蝋燭カバー１の使用方法を説明する。まず、蝋燭３は、蝋燭立２の上部に配置した受皿部１１に形成された心棒１２に差し込まれるようにして、受皿部１１に立てられる。この状態で蝋燭３の芯７に火１３が点けられる。このようにした状態で、蝋燭３および蝋燭立２を覆うように、蝋燭３および蝋燭立２に上方から蝋燭カバー１を被せる。このとき、本体４の内周面９が蝋燭立２の底端１０に対し、最大７ｍｍの間の距離で離間するよう形成されているから、無理なく蝋燭３および蝋燭立２に被せることができる。
【００１７】
蝋燭３の芯７に火１３が点けられると、蝋燭カバー１の内部に熱が篭ることが考えられ、特に天板５は加熱され易い。しかしながら、蝋燭カバー１には多数の通気孔８が形成されていることで、本体４の過熱が抑えられ、特に、天板５の高さ位置は、用いる蝋燭３の長さＬ（未使用状態の長さ）の略２倍に設定されていることで、天板５の過熱が抑えられるから、安全に使用できる。また、通気孔８が存在することで、火１３の燃焼も妨げられない。
【００１８】
そして、本体４および天板５によって火１３が覆われていること、本体４および天板５に形成された通気孔８は、蝋燭３の芯７の通過を妨げる大きさであること。これらの構成から、仮に、蝋燭３が燃焼して芯７が受皿部１１まで到達した場合に受皿部１１に水が存在していて、これが加熱されて火１３の点いた芯７が蝋燭立２から飛んだとしても、芯７は本体４の外部には飛ばない。このため、火１３の点いた芯７が火種となって火災の原因になるという状態を確実に防止することができる。
【００１９】
本体４の内周面９は、蝋燭立２の底端１０に対し離間するよう形成されているから、この隙間に芯７が火種として飛ぶことが考えられる。しかしながらこの隙間が７ｍｍ程度であれば、仮にこの隙間に芯７が飛んだとしても、火１３は容易に消える。
【００２０】
あるいは、蝋燭３の芯７に火１３が点けられると、蝋燭カバー１の内部に熱が篭ることから、受皿部１１に水が存在していても、水はその量によっては、芯７が受皿部１１まで到達した際には、すでに前記熱によって蒸発させられることも考えられる。このことを考慮すると、通気孔８の合計面積は、蝋燭カバー１のユーザーが、仮に蝋燭カバー１に接触しても火傷しないような温度を維持し、且つある程度の熱を篭らせることのできる量とすることが好ましい。
【００２１】
本発明の蝋燭カバー１は屋内使用であるが、エアーコンディショナからの風、扇風機等からの風でも、芯７の火１３は消えにくい。また、通気孔８の数や配置によっては、点けられた火１３が通気孔８を通して本体４の外部に漏れることで、美観に優れる。
【００２２】
本発明に係る蝋燭カバー１は、上記実施形態に限定されるものではなく、本発明の趣旨を逸脱しない範囲で種々の変更が可能である。また、本発明に係る蝋燭カバー１の作用効果は、上記に限定されるものでもない。
【００２３】
上記実施形態では、本体４の内周面９が蝋燭立２の底端１０に対し、７ｍｍの間の距離で離間するよう設定した場合を説明した。しかしながら、本体４を円筒状に形成する場合では、上記寸法を略３ｍｍ以下で略０ｍｍ以上とすることが考えられる。特に、上記寸法が略０ｍｍであれば、本体４が蝋燭立２の底端１０に対してしっくり嵌るので、蝋燭カバー１を蝋燭立２に被せ易い。また、火１３の点いた芯７が飛んだとしても、火１３は確実に消える。
【００２４】
上記実施形態では、本体４は円筒状に形成されている例を示した。しかしながら、本体４は円筒状に限定されず、角筒状（断面多角形状）であってもよい。多角形状とする場合では、蝋燭立２の底端１０が本体４の内面に内接する内接円となるようにし、蝋燭立２の底端１０から本体４の内面までの最大距離が７ｍｍを超えないようにすることが好ましい。
【００２５】
上記実施形態では、蝋燭カバー１で蝋燭３を蝋燭立２ごと覆った状態において、天板５の高さ位置は、用いる蝋燭３の長さＬ（未使用状態の長さ）の略２倍に設定された場合を示した。しかしながら、天板５の高さ位置は、用いる蝋燭３の長さＬ（未使用状態の長さ）の３倍程度であってもよい。このような条件下において、蝋燭立２の受皿部１１の底面から天板５までの距離は、特に制約は受けない。
【００２６】
上記実施形態では、本体４の内径寸法は特定していないが、蝋燭立２の底端１０から本体４の内面までの最大距離が７ｍｍを超えない範囲で、４５〜６０ｍｍ程度が考えられる。また、上記実施形態では、本体４の高さ寸法は特定していないが、天板５の高さ位置が、用いる蝋燭３の長さＬ（未使用状態の長さ）の３倍程度を超えない範囲で、２２０〜２５０ｍｍ程度が考えられる。
【００２７】
通気孔８は、規則的に形成されていてもよいし、不規則に形成されていてもよい。本体４の下部側の数に比べて上部側のほうの数を多くしてもよい。また、上記実施形態では、蝋燭カバー１全体をパンチングメタルで形成した場合を示した。しかしながら、蝋燭カバー１を金属製とするのであれば、金網を用いて形成することも可能である。アルミニウム以外の金属材料全般、石材およびその加工品全般、セメント材料およびその加工品全般、耐火性合成樹脂材料、耐火性紙材料、およびそれら加工品を用いて形成してもよいことは前述したとおりである。
【符号の説明】
【００２８】
１…蝋燭カバー、２…蝋燭立、３…蝋燭、４…本体、５…天板、６…開口、７…芯、８…通気孔、９…内周面、１０…底端、１１…受皿部、１２…心棒、１３…火
【図１】
2015216997.tif 000003
【図２】
2015216997.tif 000004